(57)【要約】      （修正有）【課題】塵埃が排出口を塞ぐことを阻止することで、吸気口を介して進入した液体を排出口からスムーズに排出し、商品寿命の低下を回避する。【解決手段】吸気構造は、筐体に設けられたルーバ状の吸気口１６と、筐体内における吸気口１６の近傍に配置され、吸気口１６を介して筐体内に塵埃が進入することを阻止する一方で、吸気口１６を介して筐体内に進入した液体を吸収するフィルタ３２と、筐体内でフィルタ３２を保持するフィルタホルダ３４と、フィルタ３２が吸収した液体を外部に排出する排出口２０と、液体と塵埃とを分離する分離機構と、分離機構によって分離された塵埃を保持する保持機構とを備える。【選択図】図２
2020205353.tif 000002
【特許請求の範囲】
【請求項１】
筐体に設けられたルーバ状の吸気口と、前記筐体内における前記吸気口の近傍に配置され、前記吸気口を介して前記筐体内に塵埃が進入することを阻止する一方で、前記吸気口を介して前記筐体内に進入した液体を吸収するフィルタと、前記筐体内に設けられ、前記フィルタを保持するフィルタホルダと、前記筐体に設けられ、前記フィルタが吸収した前記液体を外部に排出する排出口とを備える筐体の吸気構造において、
前記液体と前記塵埃とを分離する分離機構と、
前記分離機構によって分離された前記塵埃を保持する保持機構と、
をさらに備える、筐体の吸気構造。
【請求項２】
請求項１記載の筐体の吸気構造において、
前記分離機構は、前記吸気口と、前記フィルタの前記吸気口側とによって構成される、筐体の吸気構造。
【請求項３】
請求項１又は２記載の筐体の吸気構造において、
前記吸気口は、前記筐体の一面に設けられ、
前記排出口は、前記一面における前記吸気口の下方に設けられ、
前記保持機構は、前記筐体内における前記フィルタの前記吸気口側と前記一面との間の空間で水平方向に延びることにより、該空間を前記吸気口側の空間と前記排出口側の空間とに仕切る第１仕切り板を有する、筐体の吸気構造。
【請求項４】
請求項３記載の筐体の吸気構造において、
前記第１仕切り板は、前記フィルタホルダから前記一面に向かって前記水平方向に突出するリブである、筐体の吸気構造。
【請求項５】
請求項１〜４のいずれか１項に記載の筐体の吸気構造において、
前記フィルタに吸収された前記液体を、該フィルタの下側部分から前記排出口に案内する案内機構をさらに備え、
前記保持機構は、該保持機構と前記案内機構とを仕切る第２仕切り板を有する、筐体の吸気構造。
【請求項６】
請求項５記載の筐体の吸気構造において、
前記案内機構は、前記フィルタホルダにおける前記フィルタの下方に設けられ、前記排出口に向かって傾斜する傾斜部と、前記傾斜部の前記排出口側から前記排出口に前記液体を案内する案内部とを有し、
前記第２仕切り板は、前記フィルタホルダから突出して、前記保持機構と前記傾斜部及び前記案内部とを仕切るリブである、筐体の吸気構造。
【請求項７】
請求項１〜６のいずれか１項に記載の筐体の吸気構造において、
前記フィルタホルダは、前記筐体内の前記吸気口側及び前記排出口側に取り外し可能に配置され、
前記フィルタホルダに前記フィルタを装着した状態で、該フィルタホルダを前記筐体内の前記吸気口側及び前記排出口側に取り付けることにより、前記フィルタ及び前記フィルタホルダと前記吸気口及び前記排出口との間に前記分離機構及び前記保持機構が設けられる、筐体の吸気構造。
【発明の詳細な説明】
【技術分野】
【０００１】
本発明は、吸気口を介して筐体内に外気を取り込む筐体の吸気構造に関する。
【背景技術】
【０００２】
例えば、燃料電池を用いたコージェネレーションシステムのように、電力機器等が収容されている筐体では、筐体内の温度が該筐体内の部品（電力機器の構成部品）の許容温度を超えないように、吸気口から外気を導入して該電力機器を冷却することで、筐体内の温度をコントロールしている。
【０００３】
特許文献１には、ルーバ状の吸気口を介して外気を筐体内に導入し、吸気口の下方に設けられた排出口を介して排気する構造が開示されている。
【先行技術文献】
【特許文献】
【０００４】
【特許文献１】特開２０１６−２１９３４６号公報
【発明の概要】
【発明が解決しようとする課題】
【０００５】
ところで、外気に混じって雨水（液体）及び塵埃が吸気口を介して筐体内に進入すると、筐体内の部品の腐食等が発生し、商品寿命が短くなる可能性がある。
【０００６】
そこで、特許文献１では、ルーバ状の吸気口を設けることで、雨水の進入を防ぐようにしている。それでも、ある程度の雨水の飛沫や塵埃が筐体内に進入するので、特許文献１では、筐体内に進入した雨水を、吸気口の下方の排出口から外部に排出している。
【０００７】
しかしながら、コージェネレーションシステムのように、長期の使用期間（例えば、１０年以上の使用期間）が要求される商品では、長期間の使用によって、比較的大きな塵埃が排出口を塞ぎ、雨水をスムーズに排出することができないという問題がある。
【０００８】
本発明は、このような課題を考慮してなされたものであり、塵埃が排出口を塞ぐことを阻止することで、吸気口を介して進入した液体を排出口からスムーズに排出し、商品寿命の低下を回避する筐体の吸気構造を提供することを目的とする。
【課題を解決するための手段】
【０００９】
本発明の態様は、筐体に設けられたルーバ状の吸気口と、前記筐体内における前記吸気口の近傍に配置され、前記吸気口を介して前記筐体内に塵埃が進入することを阻止する一方で、前記吸気口を介して前記筐体内に進入した液体を吸収するフィルタと、前記筐体内に設けられ、前記フィルタを保持するフィルタホルダと、前記筐体に設けられ、前記フィルタが吸収した前記液体を外部に排出する排出口とを備える筐体の吸気構造に関する。そして、前記吸気構造は、前記液体と前記塵埃とを分離する分離機構と、前記分離機構によって分離された前記塵埃を保持する保持機構とをさらに備える。
【発明の効果】
【００１０】
本発明によれば、分離機構によって分離された塵埃が保持機構に保持されるので、塵埃が排出口を塞ぐことを阻止することができる。これにより、吸気口を介して進入した液体を排出口からスムーズに排出することができる。この結果、本発明に係る筐体の吸気構造を適用するコージェネレーションシステム等の商品の寿命低下を回避することができる。
【図面の簡単な説明】
【００１１】
【図１】本実施形態に係る吸気構造を適用した筐体の斜視図である。
【図２】図１の吸気構造の一部分解斜視図である。
【図３】図２のフィルタホルダの一部斜視図である。
【図４】図２のフィルタホルダの一部斜視図である。
【図５】本実施形態の作用を示す説明図である。
【発明を実施するための形態】
【００１２】
以下、本発明に係る筐体の吸気構造について、好適な実施形態を例示し、添付の図面を参照しながら説明する。
【００１３】
［１．本実施形態の構成］
本実施形態に係る筐体の吸気構造１０（以下、本実施形態に係る吸気構造１０ともいう。）について、図１〜図５を参照しながら説明する。該吸気構造１０は、図１の筐体１２に適用される。筐体１２は、例えば、燃料電池を用いたコージェネレーションシステムの筐体であり、燃料電池等の電力機器を収容する。筐体１２は、矩形状であり、その一面１４は、取り外し可能又は開閉可能なメンテナンス面である。
【００１４】
筐体１２の一面１４の上側部分には、ルーバ状の複数の吸気口１６が設けられている。複数の吸気口１６は、一面１４において、上下方向及び水平方向に所定間隔で設けられ、外気を筐体１２内に導入可能である。すなわち、筐体１２の一面１４の上側部分には、水平方向に延び、且つ、筐体１２内から外方に向かって斜め下方に傾斜する複数のルーバ１８が上下方向及び水平方向に所定間隔で設けられ、各ルーバ１８の下方に吸気口１６が形成されている（図５参照）。
【００１５】
また、筐体１２の一面１４の上側部分において、複数の吸気口１６の下方には、複数の排出口２０が水平方向に所定間隔で設けられている。なお、複数の排出口２０には、ルーバ１８が設けられていない。
【００１６】
一方、筐体１２の一面１４に直交する他の側面２２の上側部分には、複数の排気口２４が上下方向及び水平方向に所定間隔で設けられている。複数の排気口２４は、複数の吸気口１６と同様に、ルーバ状であることが望ましい。
【００１７】
図２に示すように、一面１４（メンテナンス面）を構成する筐体１２の外板２６の内側には、複数の吸気口１６及び複数の排出口２０を挟んで、２つのホルダ固定具２８が取り付けられている。２つのホルダ固定具２８は、該外板２６の内側に沿って上下方向に延び、上端部及び下端部が筐体１２の内方に突出する形状を有する。各ホルダ固定具２８の上端部及び下端部には、係合孔３０が形成されている。
【００１８】
各ホルダ固定具２８には、フィルタ３２を保持するフィルタホルダ３４が取り付けられる。フィルタ３２は、例えば、樹脂製の板状のスポンジフィルタであり、吸気口１６を介して筐体１２内に塵埃が進入することを阻止する一方で、吸気口１６を介して筐体１２内に進入した雨水等の液体を吸収する。
【００１９】
フィルタホルダ３４は、枠体３６と、枠体３６の内側に設けられ、板状のフィルタ３２を収容するフィルタ収容部３８とを有する樹脂製の部材である。枠体３６の水平方向に沿った両端部には、係合孔３０に係合する突起４０が上下に設けられている。従って、各突起４０が各係合孔３０に係合することにより、フィルタホルダ３４は、複数の吸気口１６に向かい合った状態で、２つのホルダ固定具２８に固定される。つまり、フィルタホルダ３４は、筐体１２内の吸気口１６側及び排出口２０側に取り外し可能に配置される。
【００２０】
フィルタ収容部３８は、枠体３６の内側に設けられ、上方が開放された箱体である。フィルタ３２は、フィルタ収容部３８の上側の開口４２から差し込まれることで、フィルタ収容部３８に収容される。フィルタ収容部３８における筐体１２の一面１４（複数の吸気口１６及び複数の排出口２０）側には、複数の開口４４が水平方向に所定間隔で設けられている。また、フィルタ収容部３８の底面は、中央部分から水平方向に沿って下方に傾斜する傾斜部４６として構成される。すなわち、フィルタ収容部３８の底面の中央部分を中心に、２つの傾斜部４６が対称に設けられている。従って、フィルタ収容部３８は、収容されているフィルタ３２を４つの側面と底面の中央部分とで支持する。
【００２１】
フィルタ収容部３８の底面には、筐体１２の一面１４に向かって水平方向に突出する第１リブ４８（第１仕切り板）が形成されている。図５に示すように、第１リブ４８は、フィルタホルダ３４が２つのホルダ固定具２８に固定されている状態で、筐体１２内におけるフィルタ３２の吸気口１６側と筐体１２の一面１４との間の空間を、吸気口１６側の空間と排出口２０側の空間とに仕切る。
【００２２】
また、フィルタ収容部３８における筐体１２の一面１４側に複数の開口４４が設けられることで、フィルタ収容部３８の底面から立設し、フィルタ３２の吸気口１６側を支持するリブ状の支持部５０が形成される。支持部５０の水平方向の両端部には、切り欠き５２がそれぞれ形成されている。従って、２つの切り欠き５２は、傾斜部４６の水平方向の端部と、筐体１２内の一面１４側の空間とを連通させる。第１リブ４８の上面において、支持部５０の２つの切り欠き５２の形成箇所には、支持部５０から筐体１２の一面１４側に向かって延びる第２リブ５４（第２仕切り板）が設けられている。
【００２３】
そして、本実施形態に係る吸気構造１０では、筐体１２内において、複数の吸気口１６の近傍に配置されるフィルタ３２が、複数の吸気口１６を介して筐体１２内に塵埃が進入することを阻止し、一方で、複数の吸気口１６を介して筐体１２内に進入した液体を吸収する。この場合、吸気構造１０は、液体と塵埃とを分離する分離機構５６と、分離機構５６によって分離された塵埃を保持する保持機構５８とを備えている。具体的に、分離機構５６は、ルーバ状の吸気口１６と、フィルタ３２の吸気口１６側とによって構成される。また、保持機構５８は、第１リブ４８及び第２リブ５４を有する。
【００２４】
また、本実施形態に係る吸気構造１０は、フィルタ３２に吸収された液体を、該フィルタ３２の下側部分から排出口２０に案内する案内機構６０をさらに備える。この場合、第２リブ５４は、該保持機構５８と案内機構６０とを仕切る。案内機構６０は、前述した２つの傾斜部４６と、該各傾斜部４６の端部から排出口２０に液体を案内する案内部６２とを有する。案内部６２は、傾斜部４６と排出口２０との間で液体が流れるフィルタホルダ３４の部分である。第２リブ５４は、保持機構５８と傾斜部４６及び案内部６２とを仕切る。
【００２５】
さらに、本実施形態に係る吸気構造１０では、フィルタホルダ３４が筐体１２内の吸気口１６側及び排出口２０側に取り外し可能に配置されている。そのため、フィルタホルダ３４にフィルタ３２を装着した状態で、該フィルタホルダ３４をホルダ固定具２８に固定することにより、フィルタ３２及びフィルタホルダ３４と複数の吸気口１６及び複数の排出口２０との間に、分離機構５６及び保持機構５８を設けることができる。
【００２６】
［２．本実施形態の作用］
以上のように構成される本実施形態に係る吸気構造１０の作用について、図１〜図５を参照しながら説明する。
【００２７】
先ず、図１に実線の矢印で示すように、複数の吸気口１６から外気が筐体１２内に導入される。この場合、複数の吸気口１６がルーバ状であるため、ある程度の雨水等の液体や塵埃の筐体１２内への進入を防ぐことができる。それでも、複数の吸気口１６からルーバ１８を乗り越えて筐体１２内に液体の飛沫（図５の実線の矢印）及び塵埃（図５の破線の矢印）が進入した場合、分離機構５６において、フィルタ３２の吸気口１６側は、進入した液体を吸収する。また、分離機構５６において、進入した塵埃は、図４及び図５に破線の矢印で示すように、フィルタ３２の吸気口１６側に衝突し、自重で下方に落下する。落下した塵埃は、第１リブ４８の上面に堆積される。
【００２８】
フィルタ３２に吸収された液体は、該フィルタ３２内を下方に移動し、フィルタ３２の下側部分から傾斜部４６に落下する。傾斜部４６は、切り欠き５２に向かって下方に傾斜しているため、図４及び図５に実線の矢印で示すように、落下した液体は、傾斜部４６を流れ、切り欠き５２及び案内部６２を通過し、排出口２０から外部に排出される。
【００２９】
一方、筐体１２内に導入され、液体及び塵埃と分離した外気は、図１に破線で示すように、フィルタ３２を通過し、冷却風として筐体１２内を流れ、筐体１２内の不図示の内蔵部品を冷却する。その後、冷却後の冷却風（外気）は、図１に実線で示すように、排気口２４から排気される。
【００３０】
なお、筐体１２の一面１４の外板２６を開くか又は取り外すことで、筐体１２内が露出するので、ホルダ固定具２８からフィルタホルダ３４を取り外し、第１リブ４８に堆積された塵埃を除去することができる。また、筐体１２の一面１４の外板２６を開くか又は取り外した状態で、フィルタホルダ３４に収容されたフィルタ３２を交換することができる。
【００３１】
［３．本実施形態の効果］
以上説明したように、本実施形態に係る吸気構造１０は、筐体１２に設けられたルーバ状の吸気口１６と、筐体１２内における吸気口１６の近傍に配置され、吸気口１６を介して筐体１２内に塵埃が進入することを阻止する一方で、吸気口１６を介して筐体１２内に進入した液体を吸収するフィルタ３２と、筐体１２内に設けられ、フィルタ３２を保持するフィルタホルダ３４と、筐体１２に設けられ、フィルタ３２が吸収した液体を外部に排出する排出口２０とを備える。そして、吸気構造１０は、液体と塵埃とを分離する分離機構５６と、分離機構５６によって分離された塵埃を保持する保持機構５８とをさらに備える。
【００３２】
この構成によれば、分離機構５６によって分離された塵埃が保持機構５８に保持されるので、塵埃が排出口２０を塞ぐことを阻止することができる。これにより、吸気口１６を介して進入した液体を排出口２０からスムーズに排出することができる。この結果、該吸気構造１０を適用しているコージェネレーションシステム等の商品の寿命低下を回避することができる。
【００３３】
この場合、分離機構５６は、吸気口１６と、フィルタ３２の吸気口１６側とによって構成される。これにより、液体がフィルタ３２の吸気口１６側に吸収されると共に、塵埃がフィルタ３２の吸気口１６側に衝突して落下する。この結果、簡単且つ容易に液体と塵埃とを分離することができる。
【００３４】
また、吸気口１６は、筐体１２の一面１４に設けられ、排出口２０は、筐体１２の一面１４における吸気口１６の下方に設けられる。保持機構５８は、筐体１２内におけるフィルタ３２の吸気口１６側と一面１４との間の空間を水平方向に延びることにより、該空間を吸気口１６側の空間と排出口２０側の空間とに仕切る第１リブ４８（第１仕切り板）を有する。これにより、第１リブ４８に堆積した塵埃が落下して排出口２０を塞ぐことを確実に阻止することができる。
【００３５】
この場合、第１リブ４８は、フィルタホルダ３４から筐体１２の一面１４に向かって水平方向に突出する。これにより、簡易な構成で、塵埃の堆積部を設けることができる。
【００３６】
また、吸気構造１０は、フィルタ３２に吸収された液体を、該フィルタ３２の下側部分から排出口２０に案内する案内機構６０をさらに備える。この場合、保持機構５８は、該保持機構５８と案内機構６０とを仕切る第２リブ５４（第２仕切り板）を有する。これにより、保持機構５８に堆積した塵埃が案内機構６０及び排出口２０に移動することを確実に阻止することができる。
【００３７】
また、案内機構６０は、フィルタホルダ３４におけるフィルタ３２の下方に設けられ、排出口２０に向かって傾斜する傾斜部４６と、傾斜部４６の排出口２０側から排出口２０に液体を案内する案内部６２とを有する。この場合、第２リブ５４は、フィルタホルダ３４から突出して、保持機構５８と傾斜部４６及び案内部６２とを仕切る。これにより、塵埃が案内機構６０及び排出口２０に移動することを阻止しつつ、フィルタ３２の下側部分から落下した液体を、傾斜部４６から案内部６２を介して排出口２０に流れやすくすることができる。
【００３８】
さらに、フィルタホルダ３４は、筐体１２内の吸気口１６側及び排出口２０側に取り外し可能に配置される。この場合、フィルタホルダ３４にフィルタ３２を装着した状態で、該フィルタホルダ３４を筐体１２内の吸気口１６側及び排出口２０側に取り付けることにより、フィルタ３２及びフィルタホルダ３４と吸気口１６及び排出口２０との間に分離機構５６及び保持機構５８が設けられる。これにより、部品を新たに追加することなく、液体及び塵埃の分離と、塵埃の堆積と、吸気構造１０のメンテナンス性の向上とを実現することができる。
【００３９】
なお、本発明は、上述の実施形態に限らず、この明細書の記載内容に基づき、種々の構成を採り得ることは勿論である。
【符号の説明】
【００４０】
１０…吸気構造                        １２…筐体
１６…吸気口                          １８…ルーバ
２０…排出口                          ３２…フィルタ
３４…フィルタホルダ                  ５６…分離機構
５８…保持機構
【図１】
2020205353.tif 000003
【図２】
2020205353.tif 000004
【図３】
2020205353.tif 000005
【図４】
2020205353.tif 000006
【図５】
2020205353.tif 000007